(57)【特許請求の範囲】
【請求項１】
胴部を備え、密封時の内圧が陽圧のプラスチックボトルにおいて、
前記胴部は、全領域又は略全領域において、正円の円弧を４以上組み合わせてなる線対称の横断面形状を有し、
前記線対称の横断面形状は、横長の四角形を基本とした形状からなり、この四角形の各頂部に相当する部分に前記正円の円弧の中間部が位置しており、
前記胴部の上側及び下側には、それぞれ、当該プラスチックボトルの最大外周部が形成されている、プラスチックボトル。
【請求項２】
前記４以上の正円の円弧は、互いに曲率半径が同じである、請求項１に記載のプラスチックボトル。
【請求項３】
前記正円の円弧の数は、４ないし６個のいずれかであり、且つ、
前記正円の円弧間は、指をひっかけ得るような大きさからなる窪部で構成されており、
前記横断面形状は、人が前記窪部を介して前記胴部を片手で把持したときに、指の間に前記正円の円弧が１ないし３個収められるように構成されている、請求項２に記載のプラスチックボトル。
【請求項４】
前記最大外周部は、前記胴部の横断面形状と同様の横断面形状で形成されている、請求項１ないし３のいずれか一項に記載のプラスチックボトル。
【請求項５】
前記上側の最大外周部に連なる肩部と、前記下側の最大外周部に連なる底部と、を更に備え、
前記肩部及び前記底部は、少なくとも前記胴部に近い領域では、前記胴部の横断面形状と同様の横断面形状で形成されている、請求項４に記載のプラスチックボトル。
【請求項６】
前記胴部の横断面形状は、当該プラスチックボトルの高さ方向で一定である、請求項１ないし５のいずれか一項に記載のプラスチックボトル。
【請求項７】
前記胴部内の飲料の流出口である口部を一つ有する、請求項１ないし６のいずれか一項に記載のプラスチックボトル。
【発明の詳細な説明】
【技術分野】
【０００１】
本発明は、清涼飲料や炭酸飲料等の液体を収容するプラスチックボトルに関し、特に、密封時の内圧が陽圧のプラスチックボトルに関するものである。
【背景技術】
【０００２】
一般に、飲料を充填する容器として、ＰＥＴボトルに代表されるプラスチックボトルが広く知られている。プラスチックボトルは、５００ｍｌ以下の小型サイズから、１０００ｍｌ前後の中型サイズ、さらには１５００〜２０００ｍｌといった大型サイズまで、幅広く用いられている。
【０００３】
これら各種サイズのボトルを保存するための家庭用冷蔵庫は、大型サイズのボトルも収容可能なポケットが設けられているものが多い。しかし、小型の冷蔵庫などでは、ポケットが小型サイズのボトルにしか対応しておらず、中型・大型サイズのボトルを収納する場合には冷蔵庫の棚に横置きするしかない。また、大型の冷蔵庫であっても、ポケットの収納スペースを他の容器で占領している場合には、大型サイズのボトルは棚に横置きせざるを得ない。
【０００４】
近年、スーパーなどの店頭で消費者の目に留まるようにと、特徴的な断面形状のボトルの開発が進められている。例えば、ボトルの断面形状が、円形、四角形又はハート形等のものや、全体として扁平なものが開発されている（例えば、特許文献１〜４参照。）。
【０００５】
ボトルの断面形状は、充填後のボトル内の圧力を考慮して設計されている。一般に、お茶やジュースの清涼飲料を充填するボトルでは、断面が四角形からなるものが多い。また、このような角形ボトルでは、充填後のボトル内の減圧によってボトル壁が変形して商品価値を失わないようにと、ボトルにリブや溝を設けたものが多い。一方、炭酸飲料を充填するボトルでは、断面が円形からなるものが一般的である。これは、ボトル内圧が陽圧となるため、内圧を受け止めることができるようにするためである。
【特許文献１】特開平１１−９１７５４号公報
【特許文献２】特開平７−３００１２１号公報
【特許文献３】特開２００６−１６０７６号公報
【特許文献４】特開２００５−２４７３９３号公報
【発明の開示】
【発明が解決しようとする課題】
【０００６】
角形ボトルであれば、冷蔵庫のポケットに収容できなくとも、冷蔵庫の棚に安定して横置きすることができる。しかし、角形ボトルでは、炭酸飲料などの陽圧の内容物に対する耐圧性が低いため、このような内容物に用いるには困難であった。一方、円形ボトルでは、陽圧の内容物に対する耐圧性は確保できるものの、冷蔵庫の棚上を転がり易かった。また、円形ボトルは、ボトル高さを低くしようとすると径が大きくなり、各種ポケット等への収納が難しくなる。
【０００７】
本発明は、以上のような背景に鑑みてなされたものであり、陽圧による変形を抑制でき、しかも安定性良く横置き可能なプラスチックボトルを提供することをその目的としている。
【課題を解決するための手段】
【０００８】
上記目的を達成するべく、本発明のプラスチックボトルは、密封時の内圧が陽圧のものにおいて、胴部が、全領域又は略全領域において、正円の円弧を４以上組み合わせてなる線対称の横断面形状を有し、前記線対称の横断面形状は、横長の四角形を基本とした形状からなり、この四角形の各頂部に相当する部分に前記正円の円弧の中間部が位置しており、前記胴部の上側及び下側には、それぞれ、当該プラスチックボトルの最大外周部が形成されているものである。
【０００９】
このような横断面形状であるので、方形の横断面形状に比べて、陽圧が均等に分散され易い。これにより、陽圧に対する胴部の耐圧性が高まり、陽圧による胴部の変形を抑制できる。一方で、胴部内を陽圧にするならば、胴部に強度をもたせることができる。
【００１０】
とりわけ、横断面形状が胴部の全領域又は略全領域にあるので、ボトルの縦荷重強度を高めることができる。また、最大外周部が胴部の上下に位置するため、ボトルの安定した横置き、製造ラインでの安定した搬送、並びに自動販売機での販売がし易くなる。さらに、陽圧により胴部が膨張しても、胴部が凸となることによってボトルの商品価値が損なわれることを抑制できる。また、横断面形状は、横長の四角形を基本とした形状からなり、この四角形の各頂部に相当する部分に正円の円弧の中間部が位置しているため、当該四角形の各頂部に相当する部分を局所的に肉厚にしなくとも、この部分の強度及び耐衝撃性を確保できる。ここで、最大外周部は、上下方向に平行に延びる外周面を有することが好ましい。
【００１１】
本発明の好ましい一態様によれば、４以上の正円の円弧は、互いに曲率半径が同じであるとよい。
【００１２】
この構成によれば、胴部内の陽圧をより一層均等に分散し易くできる。これにより、陽圧による胴部の変形をより一層抑制できる。
【００１３】
好ましくは、正円の円弧の曲率中心はボトルの内方に位置し、正円の円弧同士を連ねる部分の曲率中心はボトルの外方に位置するとよい。また、４以上の円弧の長さは、同じ又はほぼ同じであることが好ましい。
【００１４】
本発明の好ましい一態様によれば、正円の円弧の数は、４〜６個のいずれかであり、正円の円弧間は、指をひっかけ得るような大きさからなる窪部で構成されており、横断面形状は、人が窪部を介して胴部を片手で把持したときに、指の間に正円の円弧が１〜３個収められるように構成されているとよい。
【００１５】
この構成によれば、胴部を持ち易くでき、胴部を把持する人の筋負担を軽減できる。
例えば、正円の円弧が４個の場合には、少なくとも一つの窪部に指を引っ掛け、１個又は２個の円弧を手の平に沿わせればよい。さらに、正円の円弧が５個又は６個の場合には、少なくとも一つの窪部に指を引っ掛け、１個の円弧を、好ましくは２個又は３個の円弧を手の平に沿わせればよい。
【００１８】
本発明の好ましい一態様によれば、最大外周部は、胴部の横断面形状と同様の横断面形状で形成されているとよい。
【００１９】
この構成によれば、横置きしたボトルを転がり難くできるので、安定して横置きすることができる。
【００２０】
本発明の好ましい一態様によれば、プラスチックボトルは、上側の最大外周部に連なる肩部と、下側の最大外周部に連なる底部とを更に備える。そして、肩部及び底部は、少なくとも胴部に近い領域では、胴部の横断面形状と同様の横断面形状で形成されているとよい。
【００２１】
この構成によれば、肩部及び底部でも、ボトル内の陽圧が均等に分散され易くなり、陽圧による変形を抑制できる。また、ボトルを例えばインジェクションブロー成形法により製造する場合に、胴部、肩部及び底部の成形がし易くなる。なお、より好ましくは、底部は、正円の円弧の数に対応する数の中空円柱を組み合わせたような形状で構成される。
【００２２】
本発明の好ましい一態様によれば、胴部の横断面形状は、プラスチックボトルの高さ方向で一定であるとよい。
【００２３】
この構成によれば、胴部の縦荷重強度をより一層向上できる。
【００２４】
本発明の好ましい一態様によれば、胴部の横断面形状は、多角形を基本とした形状からなり、且つ、多角形状の各頂部に相当する部分に正円の円弧の中間部が位置するとよい。
【００２５】
この構成によれば、多角形状の各頂部に相当する部分を局所的に肉厚にしなくとも、この部分の強度及び耐衝撃性を確保できる。
【００２６】
本発明の好ましい一態様によれば、プラスチックボトルは、胴部内の飲料の流出口である口部を一つ有するとよい。
【００２７】
本発明の好ましい一態様によれば、ボトル容量は、８００ｍｌ以上１２００ｍｌ以下であるとよい。
【発明の効果】
【００２８】
以上説明した本発明のプラスチックボトルによれば、陽圧による変形を抑制でき、しかも安定性良く横置きすることが可能となる。
【発明を実施するための最良の形態】
【００２９】
以下、添付図面を参照して、本発明の好適な実施形態に係るプラスチックボトルについて説明する。
【００３０】
図１〜図３は、プラスチックボトルの斜視図、正面図及び側面図である。
プラスチックボトル１（以下、「ボトル１」という。）は、例えば、ポリエチレン、ポリプロピレン、ポリエチレンテレフタレートなどの熱可塑性樹脂を主材料として、ブロー成形、インジェクションブロー成形、二軸延伸ブロー成形などの各種成形方法により成形される。好ましくは、ボトル１は、コールドパリソン法によるインジェクションブロー成形法を用いて成形される。
【００３１】
成形後のボトル１は、例えば熱水殺菌、塩素系殺菌剤などによる洗浄・殺菌処理を経た後、内容物たる飲料等の液体が充填される。飲料の充填後に、ボトル１の口部２はキャップにより封止され、ボトル１内は密封状態となる。
【００３２】
本実施形態のボトル１は、後述するボトル形状によって、いわゆる耐圧ボトルとして好適に用いることができる。すなわち、ボトル１は、密封時におけるボトル内圧が陽圧の場合に好適に用いることができる。したがって、ボトル１には、炭酸飲料や発泡性の飲料を好適に充填できる。
【００３３】
また、緑茶、ウーロン茶、紅茶、コーヒー、果汁等の各種の非炭酸飲料であっても、これらを充填してから密封する前に、ボトル１内に液体窒素を添加することで密封後のボトル内圧を陽圧にすることもできる。したがって、ボトル１には、陽圧の非炭酸飲料についても好適に貯留できる。
【００３４】
要するに、ボトル１には、炭酸飲料であっても非炭酸飲料であっても、密封時の内圧が０〜０．８ＭＰａの範囲の飲料を好適に充填できる。この陽圧の範囲であれば、ボトル１の変形を抑制できるようになっている。なお、言うまでもないが、ボトル１は陽圧でない液体についても充填できる。
【００３５】
ここで、本明細書で用いる各種の用語について以下のとおり定義する。
ボトル内圧が陽圧であるとは、ボトル内圧が外圧（大気圧）よりも高いことを意味する。ボトル１の幅、奥行き及び高さは、それぞれ、図２でいう左右方向、前後方向及び中心軸Ｙ−Ｙの上下方向におけるボトル１の長さを意味する。横断面形状とは、中心軸Ｙ−Ｙに直交する平面（横断面）におけるボトル１の断面形状を意味する。ボトル内方とは、ボトル壁よりも中心軸Ｙ−Ｙへと近づく方向を意味し、ボトル外方とは、ボトル壁よりも中心軸Ｙ−Ｙから遠ざかる方向を意味する。径方向とは、中心軸Ｙ−Ｙ上の任意の一点を円の中心として考えた場合におけるその円の半径方向を意味し、周方向とは、横断面形状の輪郭に沿って一周する方向を意味する。
【００３６】
ボトル１のサイズは、売り場や消費者の冷蔵庫などのサイズを考慮して決定されることが好ましい。通常、スーパーやコンビニエンスストアといった売り場では、商品を並べる棚の高さが大型サイズであれば高さ３１０ｍｍの製品が陳列できるように、また、小型サイズであれば２３０ｍｍの商品が陳列できるように設計されていることが多い。また、家庭用冷蔵庫では、１リットルサイズの牛乳パック（一辺７０．５ｍｍの正方形断面）を収容できるように、奥行きが７１．０ｍｍのポケットのサイズで設計されていることが多い。
【００３７】
このような事情を考慮すれば、ボトル１の高さは２３０ｍｍ以下で且つボトル１の奥行きは７１．０ｍｍ以下であることが好ましい。そこで、本実施形態のボトル１は、高さが約２２０ｍｍ、奥行きが約７０ｍｍ、幅が約９８ｍｍに設計されている。また、ボトル１の容量は約１０００ｍｌに設計されている。ただし、ボトル１の容量は、特に限定されるものではない。もっとも、持ち易さ、注ぎ易さ、世帯での使用量を考慮すると、ボトル１の容量は８００ｍｌ以上１２００ｍｌ以下であることが好ましい。
【００３８】
続いて、ボトル１の各部の形状について説明する。
ボトル１は、中心軸Ｙ−Ｙ（鉛直軸）の上方から順に、口部２、肩部３、最大外周部５、胴部６、最大外周部７、及び底部８を一体に有し、これら（２，３，５，６，７及び８）によって内部に飲料を貯留可能なボトル壁を構成している。
【００３９】
口部２は、ボトル１の上端部に一つだけ位置し、ボトル１の最小径部を構成している。口部２は、上端が開口しており、飲料の充填口、注ぎ口、飲み口又は流出口として機能する。口部２の開口は、口部２に取り付けられたキャップ（図示省略）により開閉される。
【００４０】
胴部６は、図４に示すように、正円の円弧１０を６個組み合わせてなる線対称の横断面形状１２を有している。
【００４１】
横断面形状１２は、中心軸Ｙ−Ｙを横切って幅方向に延在する線に対して対称であると共に、中心軸Ｙ−Ｙを横切って奥行き方向に延在する線に対して対称である。横断面形状１２は、横長の四角形を基本とした形状からなり、この四角形の各頂部に相当する部分に円弧１０の中間部が位置している。こうすることで、四角形の各頂部に相当する部分を局所的に肉厚にしなくとも、この部分の強度及び耐衝撃性を確保することが可能となる。
【００４２】
６個の円弧１０は、曲率中心がボトル内方に位置し、且つ、互いに同じ曲率半径で構成されている。この曲率半径は、約１５〜２５ｍｍであることが好ましく、本実施形態では、図４に示す１９ｍｍである。６個の円弧１０のうち、横断面形状１２の四隅に相当する部分に位置する４個の円弧１０は、互いに同じ長さである。残りの２個の円弧１０は、互いに同じ長さであるが、その長さは、四隅にある円弧１０の長さの約１／４〜約２／３であることが好ましい。
【００４３】
１個の円弧１０からなる部位は、ボトル外方へと膨らむように形成されているので、胴部６における膨出部と換言することもできる。一方、隣り合う正円の円弧１０，１０間の部位は、ボトル内方へと窪むように形成されているので、胴部６における窪部１４と称することができる。すなわち、胴部６は、６個の膨出部と６個の窪部１４とを周方向に交互に備えている。
【００４４】
窪部１４は、人がボトル１を把持したときに、指を窪部１４にひっかけ得るような大きさで構成されている。窪部１４は、曲率中心がボトル外方に位置する円弧からなり、その曲率半径は、約１〜２５ｍｍであることが好ましい。本実施形態では、ボトル１の前後に位置する４個の窪部１４は曲率半径が３ｍｍであり、ボトル１の左右に位置する２個の窪部１４は曲率半径が２．５ｍｍである。
【００４５】
図５は、横断面形状１２と人の手との関係を示す図である。ここでは、一般的な大人の手の大きさを想定している。
【００４６】
図５に示すように、人は前後二つの窪部１４，１４に指を入れて胴部６を把持することができる。本実施形態の横断面形状１２は、このように把持したときに、手の小さい子供であれば指の間に２個の円弧１０，１０が収められるように構成され、手の大きい大人であれば指の間に３個又は４個の円弧１０，１０が収められるように構成されている。このように窪部１４を介して胴部６を把持できるので、胴部６を持ち易くできる。また、把持したときの手の平に円弧１０があてがわれ得るので、把持時のフィット感を高めることができる。
【００４７】
横断面形状１２は、図１〜図３に示すように、中心軸Ｙ−Ｙ方向に沿って延在しており、胴部６の全域に亘って形成されている。これにより、ボトル１の縦荷重強度を確保した形状にできる。また、横断面形状１２は、中心軸Ｙ−Ｙ方向において変化するものでない。このように、横断面形状１２をボトル１の高さ方向で一定にすることで、ボトル１の縦荷重強度をより一層向上できる。
【００４８】
他の実施態様では、胴部６の高さ方向の途中にくびれを形成することにより、横断面形状１２を高さ方向で変化させることも可能である。また、胴部６の一部にリブや溝を設けることも可能であり、この場合には、横断面形状１２は、胴部６の略全域に亘って形成されるといえる。
【００４９】
次に、最大外周部５及び７について説明する。
最大外周部５及び７は、胴部６の上側及び下側に形成されている。詳細には、最大外周部５は、胴部６の上端に傾斜面２０を介して連なり、最大外周部７は、胴部６の下端に傾斜面２２を介して連なっている。最大外周部５及び７は、中心軸Ｙ−Ｙ方向と平行に所定の長さほど（例えば５ｍｍ）延びている。最大外周部５及び７は、互いに同じ寸法で形成され、ボトル１における最大幅及び最大奥行きを有している。したがって、ボトル１を横置きした場合には、最大外周部５及び７が他の部位よりも優先して設置面に接触する。
【００５０】
最大外周部５及び７は、互いに同一の横断面形状２４で形成されている。横断面形状２４は、横断面形状１２の相似形に近い形状（すなわち同様の形状）で形成されている。横断面形状２４と横断面形状１２とは、それぞれの膨出している部分と窪んでいる部分とが中心軸Ｙ−Ｙ方向において対応するように形成されている。
【００５１】
図６は、図２のＶＩ−ＶＩ線で切断した端面図であり、横断面形状２４を示す図である。
横断面形状２４は、正円の円弧３０を６個組み合わせてなる線対称の形状からなり、隣り合う円弧３０,３０間に窪部３４を有している。
【００５２】
円弧３０は、曲率中心がボトル内方に位置し、且つ、互いに同じ曲率半径（２０ｍｍ）で構成されている。この曲率半径は、円弧１０の曲率半径と同じであるか、あるいはこれよりも僅かに大きいことが好ましい。横断面形状２４の四角形の各頂部に相当する位置には、円弧３０の中間部が位置している。
【００５３】
窪部３４は、曲率中心がボトル外方に位置する円弧からなる。窪部３４の曲率半径は、窪部１４の曲率半径と同じあるか、あるいはこれよりも僅かに小さいことが好ましい。ここでは、ボトル１の前後に位置する４個の窪部３４の曲率半径は２ｍｍであり、ボトル１の左右に位置する２個の窪部３４の曲率半径は１．５ｍｍとなっている。
【００５４】
このような最大外周部５及び７を胴部６の上下に設けているので、横向き姿勢のボトル１が転がり難くなるので、ボトル１を安定して横置きできる。加えて、ボトル１を製造ラインで安定して搬送できる共に、自動販売機での販売がし易くなる。また、胴部６がリセスされた（凹まされた）形状になるので、陽圧により胴部６が膨張しても、ボトル１の外形において胴部６が大きく凸となることを抑制できる。これにより、ボトル１の商品価値を損なうことを抑制できる。また、商品名等を表示したラベルを胴部６に貼り易くもできる。
【００５５】
次に、肩部３について図１〜図３を参照して説明する。
肩部３は、口部２の下端から最大外周部５の上端までの部分であり、図２の正面視、なで肩状に形成されている。肩部３は、その全領域において、横断面形状１２及び２４と同様の横断面形状４０で形成されている。
【００５６】
横断面形状４０は、横断面形状１２及び２４の相似形に近い形状からなる。すなわち、横断面形状４０は、正円の円弧４２を６個組み合わせてなる線対称の形状からなり、隣り合う円弧４２，４２間に窪部４４を有している。円弧４２及び窪部４４は、最大外周部５の円弧３０及び窪部３４に連続するように、円弧３０及び窪部３４の位置に対応して形成されている。ただし、横断面形状４０は、上方に向かって漸次小さくなるように形成されている。なお、横断面形状４０は、肩部３の全領域に形成されなくてもよいが、少なくとも胴部６に近い領域に形成されることが好ましい。
【００５７】
次に、底部８について図１〜３を参照して説明する。
底部８は、最大外周部７の下端に連なる部分であり、着地面となる底面５０を有している。底部８は、その幅及び奥行きが下方に向かって徐々に且つ僅かに小さくなるように形成されている。
【００５８】
底部８は、６個の谷部５２と、谷部５２によって隔離された６個の脚部５４と、で構成されている。谷部５２及び脚部５４は、最大外周部７の円弧３０及び窪部３４に連続するように、円弧３０及び窪部３４の位置に対応して形成されている。谷部５２は、下方に向かって漸次窪むように且つ下方に向かって漸次拡開するように形成されている。脚部５４は、中空円柱のような形状であり、横断面が正円の円弧状に形成されている。このような形状であるので、底部８は、少なくとも胴部６に近い領域では、横断面形状１２及び２４と同様の横断面形状で形成されているといえる。
【００５９】
以上説明したように、本実施形態のボトル１によれば、胴部６が上記のような横断面形状１２を有している。このため、横断面形状が方形であるボトルに比べて、ボトル内の陽圧が均等に分散され易くなる。これにより、陽圧に対する胴部６の耐圧性を高めることができ、陽圧による胴部６の変形を抑制できる。一方で、密封時にボトル内圧を陽圧にするので、胴部６に強度をもたせることができる。
【００６０】
また、胴部６のみならず、肩部３、最大外周部５、最大外周部７及び底部８も、横断面形状１２と同様の横断面形状２４，４０を有している。したがって、これらの部分でもボトル内の陽圧が均等に分散され易くなる。これにより、これらの部分３，５，７及び８の陽圧による変形を抑制できると同時に、これらの部分３，５，７及び８に強度を持たせることができる。
【００６１】
したがって、本実施形態のボトル１によれば、全体として耐圧ボトルを提供することができる。また、上記したとおり、ボトル１を横置きしても、ボトル１が接地する外周部分が単一の円からなる部分ではないので、転がり難い。したがって、家庭用冷蔵庫の棚などでボトル１を安定して横置きすることができる。また、胴部６の握り易さを向上できるので、ボトル１を持ち易くできる。さらに、ボトル１全体の径を大きくしなくとも、ボトル高さを低くすることもでき、冷蔵庫などのポケットへの収納性を向上することもできる。
【００６２】
他の実施態様のボトル１では、横断面形状１２における円弧１０の数を変えてもよい。
例えば、図７に示すように、正円の円弧１０ａを２個組み合わせてなる線対称の横断面形状１２ａとしてもよい。円弧１０ａの曲率半径は、例えば３５ｍｍであればよい。隣り合う円弧１０ａ、１０ａ間の窪部１４ａの曲率半径は、例えば３ｍｍであればよい。この場合、人は、例えば二つの窪部１４ａ，１４ａに指をひっかけて、手の平を一つの円弧１０ａに向けることで、胴部６ａを片手で把持できることが好ましい。
【００６３】
さらに、図８に示すように、正円の円弧１０ｃを４個組み合わせてなる線対称の横断面形状１２ｃとしてもよい。横断面形状１２ｃは、正方形を基本とした形状からなり、且つ正方形の頂部に相当する部分に円弧１０ｃの中間部が位置するとよい。円弧１０ｃの曲率半径は、例えば３５ｍｍであればよい。隣り合う円弧１０ｃ、１０ｃ間の窪部１４ｃの曲率半径は、例えば３ｍｍであればよい。この場合、人は、例えば一つ又は二つの窪部１４ｃに指をひっかけて、手の平を一つ又は二つの円弧１０ｃに向けることで、胴部６ｃを片手で把持できることが好ましい。
【００６４】
以上、図７及び図８を用いて、実施形態の胴部６における円弧１０の数を変更する例を説明したが、肩部３、最大外周部５、胴部６、最大外周部７、及び底部８における横断面形状の正円の円弧の数も、円弧１０の数に対応する数で構成すればよいことは言うまでもない。ただし、横断面形状における正円の円弧の数は、任意であるが、横長の四角形である場合には４〜８個が好ましく、より好ましくは４〜６個である。
【図面の簡単な説明】
【００６５】
【図１】実施形態に係るプラスチックボトルの斜視図である。
【図２】実施形態に係るプラスチックボトルの正面図である。
【図３】実施形態に係るプラスチックボトルの側面図である。
【図４】図２のＩＶ−ＩＶ線で切断した端面図である。
【図５】胴部の横断面形状と人の手との関係を示す図である。
【図６】図２のＶＩ−ＶＩ線で切断した端面図である。
【図７】参考例に係るプラスチックボトルの端面図であり、胴部の横断面形状を示す図である。
【図８】参考例に係るプラスチックボトルの端面図であり、胴部の横断面形状を示す図である。
【符号の説明】
【００６６】
１：ボトル、２：口部、３：肩部、５：最大外周部、６：胴部、７：最大外周部、８：底部、１０：円弧、１２：横断面形状、１４：窪部、２４：横断面形状、３０：円弧、３４：窪部、４０：横断面形状、４２：円弧、４４：窪部、Ｙ−Ｙ：中心軸
【図１】
0005382997.tif 000002
【図２】
0005382997.tif 000003
【図３】
0005382997.tif 000004
【図４】
0005382997.tif 000005
【図５】
0005382997.tif 000006
【図６】
0005382997.tif 000007
【図７】
0005382997.tif 000008
【図８】
0005382997.tif 000009